(57)【特許請求の範囲】
【請求項１】
端末に用いられるインターフェース表示方法であって、
ユーザが入力した制御インターフェースの統合命令が検出された場合、前記制御インターフェースの統合命令に含まれた複数の標的スマート機器の識別情報を確定するステップと、
前記複数の標的スマート機器の制御インターフェース情報をそれぞれ取得するステップと、
前記複数の標的スマート機器の前記制御インターフェース情報に基づいて、前記複数の標的スマート機器を制御するための統合制御インターフェースを生成するステップと、
前記統合制御インターフェースを表示するステップと、を含み、
前記制御インターフェース情報は、前記複数の標的スマート機器に対応する制御インターフェースにおける全てのボタンコントロール情報及び表示コントロール情報を含み、
前記複数の標的スマート機器の前記制御インターフェース情報に基づいて統合制御インターフェースを生成するステップは、
統合制御インターフェースの標的制御インターフェース情報における標的ボタンコントロール情報に基づいて、前記統合制御インターフェースにおける統合制御ボタンを生成するステップ、を含むことを特徴とする
インターフェース表示方法。
【請求項２】
前記ユーザが入力した制御インターフェースの統合命令が検出された場合、前記制御インターフェースの統合命令に含まれた複数の標的スマート機器の識別情報を確定するステップの前に、
予め前記端末にバインディングされた候補スマート機器の機器リストを出力するステップと、
プリセットボタンに対する選定操作が検出された場合、前記プリセットボタンに対する選定操作を前記制御インターフェースの統合命令とするステップであって、前記プリセットボタンは、ユーザが前記機器リストに対して選択した複数の標的スマート機器のボタンであり、前記制御インターフェースの統合命令は、前記複数の標的スマート機器の機器ＩＤを含む、ステップと、をさらに含むことを特徴とする
請求項１に記載の方法。
【請求項３】
前記複数の標的スマート機器の制御インターフェース情報をそれぞれ取得するステップは、
前記複数の標的スマート機器の機器ＩＤを含む制御インターフェース情報の取得請求をプリセットサーバーに送信して、前記プリセットサーバーが前記制御インターフェース情報の取得請求を受信した後、前記機器ＩＤに基づいて前記複数の標的スマート機器の制御インターフェース情報をそれぞれ取得するステップと、
前記プリセットサーバーから返された前記複数の標的スマート機器の前記制御インターフェース情報を受信するステップと、を含むことを特徴とする
請求項１に記載の方法。
【請求項４】
前記複数の標的スマート機器の前記制御インターフェース情報に基づいて統合制御インターフェースを生成するステップは、更に、
前記複数の標的スマート機器の前記制御インターフェース情報に基づいて、統合制御インターフェースの標的制御インターフェース情報を確定するステップと、
前記標的制御インターフェース情報における標的表示コントロール情報に基づいて、前記統合制御インターフェースにおける統合表示コントロールを生成するステップと、を含むことを特徴とする
請求項１に記載の方法。
【請求項５】
前記統合制御インターフェースを表示するステップの後に、
前記統合制御ボタンが選定されたことを検出した場合、前記統合制御ボタンに対応する操作命令を生成するステップと、
前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するステップと、をさらに含むことを特徴とする
請求項４に記載の方法。
【請求項６】
前記統合制御インターフェースを表示するステップの後に、
入力操作が検出された場合、前記入力操作の内容に基づいて前記統合制御インターフェースのインターフェース名称を修正するステップ、をさらに含むことを特徴とする
請求項１に記載の方法。
【請求項７】
端末に用いられるインターフェース表示装置であって、
ユーザが入力した制御インターフェースの統合命令を検出した場合、前記制御インターフェースの統合命令に含まれた複数の標的スマート機器の識別情報を確定するように構成された機器確定モジュールと、
前記機器確定モジュールにより確定された前記複数の標的スマート機器の制御インターフェース情報をそれぞれ取得するように構成された取得モジュールと、
前記取得モジュールにより取得した前記複数の標的スマート機器の前記制御インターフェース情報に基づいて、前記複数の標的スマート機器を制御するための統合制御インターフェースを生成するように構成されたインターフェース生成モジュールと、
前記インターフェース生成モジュールにより生成された前記統合制御インターフェースを表示するように構成された表示モジュールと、を含み、
前記取得モジュールにより取得した前記制御インターフェース情報は、前記複数の標的スマート機器に対応する制御インターフェースにおける全てのボタンコントロール情報及び表示コントロール情報を含み、
前記インターフェース生成モジュールは、
統合制御インターフェースの標的制御インターフェース情報における標的ボタンコントロール情報に基づいて、前記統合制御インターフェースにおける統合制御ボタンを生成するように構成された第１の生成サブモジュール、を含む
ことを特徴とする
インターフェース表示装置。
【請求項８】
予め前記端末にバインディングされた候補スマート機器の機器リストを出力するように構成された出力モジュールと、
プリセットボタンに対する選定操作が検出された場合、前記プリセットボタンに対する選定操作を前記制御インターフェースの統合命令とするように構成され、前記プリセットボタンは、ユーザが前記出力モジュールにより出力された前記機器リストに対して選択した複数の標的スマート機器のボタンであり、前記制御インターフェースの統合命令は、前記複数の標的スマート機器の機器ＩＤを含む、命令確定モジュールと、をさらに含むことを特徴とする
請求項７に記載の装置。
【請求項９】
前記取得モジュールは、
前記機器確定モジュールにより確定された前記複数の標的スマート機器の機器ＩＤを含む制御インターフェース情報の取得請求をプリセットサーバーに送信して、前記プリセットサーバーが前記制御インターフェース情報の取得請求を受信した後、前記機器ＩＤに基づいて前記複数の標的スマート機器の制御インターフェース情報をそれぞれ取得するように構成された送信サブモジュールと、
前記プリセットサーバーから返された前記複数の標的スマート機器の前記制御インターフェース情報を受信するように構成された受信サブモジュールと、を含むことを特徴とする
請求項７に記載の装置。
【請求項１０】
前記インターフェース生成モジュールは、更に、
前記取得モジュールにより取得した前記複数の標的スマート機器の前記制御インターフェース情報に基づいて、統合制御インターフェースの標的制御インターフェース情報を確定するように構成された確定サブモジュールと、
前記確定サブモジュールにより確定された前記標的制御インターフェース情報における標的表示コントロール情報に基づいて、前記統合制御インターフェースにおける統合表示コントロールを生成するように構成された第２の生成サブモジュールと、を含むことを特徴とする
請求項７に記載の装置。
【請求項１１】
前記第１の生成サブモジュールにより生成された前記統合制御ボタンが選定されたことを検出した場合、前記統合制御ボタンに対応する操作命令を生成するように構成された命令生成モジュールと、
前記命令生成モジュールにより生成された前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するように構成された送信モジュールと、をさらに含むことを特徴とする
請求項１０に記載の装置。
【請求項１２】
入力操作が検出された場合、前記入力操作の内容に基づいて前記表示モジュールにより表示された前記統合制御インターフェースのインターフェース名称を修正するように構成された修正モジュールをさらに含むことを特徴とする
請求項７に記載の装置。
【請求項１３】
端末に用いられるインターフェース表示装置であって、
プロセッサーと、
プロセッサーで実行可能な命令を格納するためのメモリと、を含み、
前記プロセッサーは、
ユーザが入力した制御インターフェースの統合命令が検出された場合、前記制御インターフェースの統合命令に含まれた複数の標的スマート機器の識別情報を確定し、
前記複数の標的スマート機器の制御インターフェース情報をそれぞれ取得し、
前記複数の標的スマート機器の前記制御インターフェース情報に基づいて、前記複数の標的スマート機器を制御するための統合制御インターフェースを生成し、
前記統合制御インターフェースを表示するように構成され、
前記制御インターフェース情報は、前記複数の標的スマート機器に対応する制御インターフェースにおける全てのボタンコントロール情報及び表示コントロール情報を含み、
前記複数の標的スマート機器の前記制御インターフェース情報に基づいて統合制御インターフェースを生成することは、
統合制御インターフェースの標的制御インターフェース情報における標的ボタンコントロール情報に基づいて、前記統合制御インターフェースにおける統合制御ボタンを生成すること、を含む
ことを特徴とする
インターフェース表示装置。
【請求項１４】
プロセッサーに実行されることにより、請求項１−６のいずれか１項に記載のインターフェース表示方法を実現するプログラム。
【請求項１５】
請求項１４に記載のプログラムが記録されたコンピュータ読取可能な記録媒体。
【発明の詳細な説明】
【技術分野】
【０００１】
本発明は、通信分野に関し、特に、インターフェース表示方法、装置、プログラム及び記録媒体に関する。
【背景技術】
【０００２】
従来技術において、ユーザは、端末により当該端末にバインディングしたその他のスマート機器の制御インターフェースを調べることができる。しかしながら、前記端末に表示された前記制御インターフェースは、対応する一つのスマート機器のみを制御するために用いられ、それによってインターフェース表示に柔軟性が足りない。
【発明の概要】
【発明が解決しようとする課題】
【０００３】
本発明はこのような事情に鑑みてなされたものであり、従来技術における端末に表示された制御インターフェースが、対応する１つのスマート機器のみを制御するために用いられて、インターフェースの表示に柔軟性が足りない問題を解决するインターフェース表示方法、装置、プログラム及び記録媒体を提供する。
【課題を解決するための手段】
【０００４】
本発明の第１の態様によれば、端末に用いられるインターフェース表示方法であって、
ユーザが入力した制御インターフェースの統合命令が検出された場合、前記制御インターフェースの統合命令に携帯された複数の標的（対象）スマート機器を確定するステップと、
前記複数の標的スマート機器の制御インターフェース情報をそれぞれ取得するステップと、
前記複数の標的スマート機器の前記制御インターフェース情報に基づいて、前記複数の標的スマート機器を制御するための統合制御インターフェースを生成するステップと、
前記統合制御インターフェースを表示するステップと、
を含むインターフェース表示方法を提供する。
【０００５】
代替として、前記ユーザが入力した制御インターフェースの統合命令が検出された場合、前記制御インターフェースの統合命令に携帯された複数の標的スマート機器を確定するステップの前に、
予め前記端末にバインディングされた候補スマート機器の機器リストを出力するステップと、
プリセットボタンに対する選定操作が検出された場合、前記プリセットボタンに対する選定操作を前記制御インターフェースの統合命令とするステップであって、ここで、前記プリセットボタンは、ユーザが前記機器リストに対して選択した複数の標的スマート機器のボタンであり、前記制御インターフェースの統合命令は、前記複数の標的スマート機器の機器ＩＤ（ａｐｐａｒａｔｕｓ  ｉｄｅｎｔｉｔｉｅｓ）を携帯するステップと、をさらに含む。
【０００６】
代替として、前記複数の標的スマート機器の制御インターフェース情報をそれぞれ取得するステップは、
前記複数の標的スマート機器の機器ＩＤを携帯する制御インターフェース情報の取得請求をプリセットサーバーに送信して、前記プリセットサーバーが前記制御インターフェース情報の取得請求を受信した後、前記機器ＩＤに基づいて前記複数の標的スマート機器の制御インターフェース情報をそれぞれ取得するステップと、
前記プリセットサーバーから返された前記複数の標的スマート機器の前記制御インターフェース情報を受信するステップと、を含む。
【０００７】
代替として、前記制御インターフェース情報は、前記複数の標的スマート機器に対応する制御インターフェースにおける全てのボタンコントロール情報及び表示コントロール情報（ｄｅｍｏｎｓｔｒａｔｉｏｎ  ｃｏｎｔｒｏｌ  ｉｎｆｏｒｍａｔｉｏｎ）を含む。
【０００８】
代替として、前記複数の標的スマート機器の前記制御インターフェース情報に基づいて統合制御インターフェースを生成するステップは、
前記複数の標的スマート機器の前記制御インターフェース情報に基づいて、統合制御インターフェースの標的制御インターフェース情報を確定するステップと、
前記標的制御インターフェース情報における標的ボタンコントロール情報に基づいて、前記統合制御インターフェースにおける統合制御ボタンを生成するステップと、
前記標的制御インターフェース情報における標的表示コントロール情報に基づいて、前記統合制御インターフェースにおける統合表示コントロールを生成するステップと、を含む。
【０００９】
代替として、前記方法は、前記統合制御インターフェースを表示するステップの後に、
前記統合制御ボタンが選定されたことを検出した場合、前記統合制御ボタンに対応する操作命令を生成するステップと、
前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するステップと、をさらに含む。
【００１０】
代替として、前記方法は、前記統合制御インターフェースを表示するステップの後に、
入力操作を検出した場合、前記入力操作の内容に基づいて前記統合制御インターフェースのインターフェース名称を修正するステップをさらに含む。
【００１１】
本発明の第２の態様によれば、端末に用いられるインターフェース表示装置であって、
ユーザが入力した制御インターフェースの統合命令が検出された場合、前記制御インターフェースの統合命令に携帯された複数の標的スマート機器を確定するように構成された機器確定モジュールと、
前記機器確定モジュールにより確定された前記複数の標的スマート機器の制御インターフェース情報をそれぞれ取得するように構成された取得モジュールと、
前記取得モジュールにより取得した前記複数の標的スマート機器の前記制御インターフェース情報に基づいて、前記複数の標的スマート機器を制御するための統合制御インターフェースを生成するように構成されたインターフェース生成モジュールと、
前記インターフェース生成モジュールにより生成された前記統合制御インターフェースを表示するように構成された表示モジュールと、を含むインターフェース表示装置を提供する。
【００１２】
代替として、前記装置は、
予め前記端末にバインディングされた候補スマート機器の機器リストを出力するように構成された出力モジュールと、
プリセットボタンに対する選定操作が検出された場合、前記プリセットボタンに対する選定操作を前記制御インターフェースの統合命令とするように構成され、前記プリセットボタンは、ユーザが前記出力モジュールにより出力された前記機器リストに対して選択した複数の標的スマート機器のボタンであり、前記制御インターフェースの統合命令は、前記複数の標的スマート機器の機器ＩＤを携帯する、命令確定モジュールと、をさらに含む。
【００１３】
代替として、前記取得モジュールは、
前記機器確定モジュールにより確定された前記複数の標的スマート機器の機器ＩＤを携帯する制御インターフェース情報の取得請求をプリセットサーバーに送信して、前記プリセットサーバーが前記制御インターフェース情報の取得請求を受信した後、前記機器ＩＤに基づいて前記複数の標的スマート機器の制御インターフェース情報をそれぞれ取得するように構成された送信サブモジュールと、
前記プリセットサーバーから返された前記複数の標的スマート機器の前記制御インターフェース情報を受信するように構成された受信サブモジュールと、を含む。
【００１４】
代替として、前記取得モジュールにより取得した前記制御インターフェース情報は、前記複数の標的スマート機器に対応する制御インターフェースにおける全てのボタンコントロール情報及び表示コントロール情報を含む。
【００１５】
代替として、前記インターフェース生成モジュールは、
前記取得モジュールにより取得した前記複数の標的スマート機器の前記制御インターフェース情報に基づいて、統合制御インターフェースの標的制御インターフェース情報を確定するように構成された確定サブモジュールと、
前記確定サブモジュールにより確定された前記標的制御インターフェース情報における標的ボタンコントロール情報に基づいて、前記統合制御インターフェースにおける統合制御ボタンを生成するように構成された第１の生成サブモジュールと、
前記確定サブモジュールにより確定された前記標的制御インターフェース情報における標的表示コントロール情報に基づいて、前記統合制御インターフェースにおける統合表示コントロールを生成するように構成された第２の生成サブモジュールと、を含む。
【００１６】
代替として、前記装置は、
前記第１の生成サブモジュールにより生成した前記統合制御ボタンが選定されたことを検出した場合、前記統合制御ボタンに対応する操作命令を生成するように構成された命令生成モジュールと、
前記命令生成モジュールにより生成された前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するように構成された送信モジュールと、をさらに含む。
【００１７】
代替として、前記装置は、
入力操作を検出した場合、前記入力操作の内容に基づいて前記表示モジュールにより表示した前記統合制御インターフェースのインターフェース名称を修正するように構成された修正モジュールをさらに含む。
【００１８】
本発明の第３の態様によれば、端末に用いられるインターフェース表示装置であって、
プロセッサーと、
プロセッサーで実行可能な命令を格納するためのメモリと、を含み、
ここで、前記プロセッサーは、
ユーザが入力した制御インターフェースの統合命令が検出された場合、前記制御インターフェースの統合命令に示された複数の標的スマート機器を確定し、
前記複数の標的スマート機器の制御インターフェース情報をそれぞれ取得し、
前記複数の標的スマート機器の前記制御インターフェース情報に基づいて、前記複数の標的スマート機器を制御するための統合制御インターフェースを生成し、
前記統合制御インターフェースを表示するように構成された、インターフェース表示装置を提供する。
本発明の第４の態様によれば、
プロセッサーに実行されることにより、上記のインターフェース表示方法を実現するプログラムを提供する。
本発明の第５の態様によれば、
上記プログラムが記録されたコンピュータ読取可能な記録媒体を提供する。
【発明の効果】
【００１９】
本発明に提供された技術案によれば、以下のような技術効果が奏される。
【００２０】
本発明の実施形態において、端末が、ユーザにより入力された複数の標的スマート機器付き制御インターフェースの統合命令を検出した場合、前記複数の標的スマート機器の制御インターフェース情報をそれぞれ取得する。さらに、前記複数の標的スマート機器の前記制御インターフェース情報に基づいて統合制御インターフェースを生成して表示することができる。これにより、前記端末において前記複数の標的スマート機器を制御するための統合制御インターフェースが表示されることができ、インターフェース表示の柔軟性を高め、ユーザエクスペリエンス（ユーザ体験）を向上した。
【００２１】
本発明の実施形態において、端末は、候補スマート機器の機器リストを出力し、ユーザがプリセットボタンを選定したことが検出された場合、ユーザが入力した制御インターフェースの統合命令を受信したことを確定し、ここで、前記プリセットボタンは、ユーザが前記機器リストに対して選択した複数の標的スマート機器のボタンである。さらに、前記端末は、前記制御インターフェースの統合命令に基づいて、前記複数の標的スマート機器を制御するための統合制御インターフェースを表示することができ、これにより、インターフェース表示の柔軟性を高め、ユーザエクスペリエンスを向上した。
【００２２】
本発明の実施形態において、端末は、ユーザが入力した制御インターフェースの統合命令を検出した後、複数の標的スマート機器の制御インターフェース情報をそれぞれ取得する。代替として、前記制御インターフェース情報は、前記複数の標的スマート機器に対応する制御インターフェースにおける全てのボタンコントロール情報及び表示コントロール情報を含む。さらに、前記端末は、取得した前記制御インターフェース情報に基づいて統合制御インターフェースの標的制御インターフェース情報を確定し、且つ、前記標的制御インターフェース情報に基づいて、前記統合制御インターフェースにおける統合制御ボタン及び統合表示コントロールを、対応的に生成する。これにより、前記端末において前記複数の標的スマート機器を制御し得るための統合制御インターフェースが表示され、インターフェース表示の柔軟性を高めた。
【００２３】
本発明の実施形態において、ユーザは、前記統合制御インターフェースに表示された統合制御ボタンを選定することができ、さらに、複数の標的スマート機器を同期的に制御して前記統合制御ボタンに対応する操作を実行することができるため、ユーザエクスペリエンスがよい。
【００２４】
本発明の実施形態において、端末に統合制御インターフェースを表示した後、ユーザは、前記統合制御インターフェースのインターフェース名称をカスタマイズすることができ、インターフェース表示の柔軟性をさらに高め、ユーザエクスペリエンスをさらに向上した。
【００２５】
なお、前記一般的な記載及び後述の詳細な記載は、単なる例示的で解釈的な記載であり、本発明を限定しない。
【図面の簡単な説明】
【００２６】
添付図面は、明細書に組み入れて本明細書の一部分を構成し、本発明に該当する実施例を例示するとともに、明細書とともに本発明の原理を解釈する。
【図１】本発明の一例示的な実施例に係るインターフェース表示方法を示すフローチャートである。
【図２】本発明の一例示的な実施例に係る他のインターフェース表示方法を示すフローチャートである。
【図３】本発明の一例示的な実施例に係る他のインターフェース表示方法を示すフローチャートである。
【図４】本発明の一例示的な実施例に係る他のインターフェース表示方法を示すフローチャートである。
【図５】本発明の一例示的な実施例に係る他のインターフェース表示方法を示すフローチャートである。
【図６】本発明の一例示的な実施例に係る他のインターフェース表示方法を示すフローチャートである。
【図７】本発明の一例示的な実施例に係る他のインターフェース表示方法を示すフローチャートである。
【図８Ａ】本発明の一例示的な実施例に係る各インターフェースの表示過程を示すアアプリケーションシナリオ（ａｐｐｌｉｃａｔｉｏｎ  ｓｃｅｎａｒｉｏ）の模式図である。
【図８Ｂ】本発明の一例示的な実施例に係る各インターフェースの表示過程を示すアアプリケーションシナリオの模式図である。
【図８Ｃ】本発明の一例示的な実施例に係る各インターフェースの表示過程を示すアアプリケーションシナリオの模式図である。
【図８Ｄ】本発明の一例示的な実施例に係る各インターフェースの表示過程を示すアアプリケーションシナリオの模式図である。
【図９】本発明の一例示的な実施例に係るインターフェースの表示装置を示すブロック図である。
【図１０】本発明の一例示的な実施例に係る他のインターフェースの表示装置を示すブロック図である。
【図１１】本発明の一例示的な実施例に係る他のインターフェースの表示装置を示すブロック図である。
【図１２】本発明の一例示的な実施例に係る他のインターフェースの表示装置を示すブロック図である。
【図１３】本発明の一例示的な実施例に係る他のインターフェースの表示装置を示すブロック図である。
【図１４】本発明の一例示的な実施例に係る他のインターフェースの表示装置を示すブロック図である。
【図１５】本発明の一例示的な実施例に係るインターフェースの表示装置の一構成を示す模式図である。
【発明を実施するための形態】
【００２７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２８】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００２９】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同様に、第２の情報を第１の情報と称してもよい。以下の説明で使っている用語「・・・場合」は、上下文の意味によって、「・・・時」或は「・・・と」又は「確定に応じる」に解釈されてもよい。
【００３０】
図１は、一例示的な実施例に係るインターフェース表示方法を示す。図１に示すように、前記方法は端末に用いられ、下記ステップを含む。即ち、
ステップ１０３において、ユーザが入力した制御インターフェースの統合命令が検出された場合、前記制御インターフェースの統合命令に携帯された複数の標的スマート機器を確定する。
【００３１】
本発明の実施例に係る端末は、ユーザが携帯可能の様々なスマート端末を指し、例えば、スマートフォン、タブレットＰＣ、個人用の携帯情報端末（Ｐｅｒｓｏｎａｌ  Ｄｉｇｉｔａｌ  Ａｓｓｉｓｔａｎｔ：ＰＤＡ）等が挙げられる。かかるスマート機器は、スマートハウスに含まれる様々なスマート電子機器であってもよく、例えば、スマートエアコン、スマート空気清浄機、スマートカーテン制御器、スマート炊飯器、スマート給湯器、スマート冷凍庫等が挙げられる。
【００３２】
図２は、本発明の一例示的な実施例に係る他のインターフェース表示方法を示す。図２に示すように、前記方法は、前記ステップ１０３を実行する前に、代替として、下記のステップ１０１、ステップ１０２をさらに含んでもよい。
【００３３】
ステップ１０１において、予め前記端末にバインディングされた候補スマート機器の機器リストを出力する。
【００３４】
当該ステップにおいて、前記端末は、関連技術に基づいて機器リストを出力することができる。前記機器リストには、予め前記端末にバインディングされた候補スマート機器の全てが含まれる。
【００３５】
代替として、前記端末のユーザは、前記端末の端末識別情報を利用して、例えば携帯電話番号を利用して、前記端末に予めインストールされたスマートハウスのアプリケーションプログラム（Ａｐｐｌｉｃａｔｉｏｎ、ＡＰＰ）にログインすることができる。候補スマート機器は、前記スマートハウスＡＰＰのアカウントに予めバインディングされている。ユーザが前記スマートハウスＡＰＰにログインした後、前記スマートハウスＡＰＰは、関連技術によりプリセットサーバーから前記アカウントに基づいて前記候補スマート機器の機器ＩＤを取得することができ、さらに、前記機器ＩＤに基づいて前記候補スマート機器の機器リストを出力する。
【００３６】
ステップ１０２において、プリセットボタンに対する選定操作が検出された場合、前記プリセットボタンに対する選定操作を、前記制御インターフェースの統合命令とし、ここで、前記プリセットボタンは、ユーザが前記機器リストに対して選択した複数の標的スマート機器のボタンであり、前記制御インターフェースの統合命令は、前記複数の標的スマート機器の機器ＩＤを携帯する。
【００３７】
このステップにおいて、前記端末は、仮想のプリセットボタンを出力することができる。前記端末は、関連技術により、前記プリセットボタンに対する選定操作を検出した場合、前記選定操作を制御インターフェースの統合命令と確定し、即ち、ユーザは統合制御インターフェースの表示を選択する。前記プリセットボタンは、ユーザが前記機器リストに対して選択した複数の標的スマート機器のボタンであるため、生成した前記制御インターフェースの統合命令は前記複数の標的スマート機器の機器ＩＤを携帯する。
【００３８】
本発明の実施例において、前記端末は上記選定操作が検出された場合、即ち、ユーザが前記制御インターフェースの統合命令を入力したことが検出された場合、ステップ１０３を実行し、関連技術により、前記制御インターフェースの統合命令に携帯された前記複数の標的スマート機器の機器ＩＤを確定する。
【００３９】
ステップ１０４において、前記複数の標的スマート機器の制御インターフェース情報をそれぞれ取得する。
【００４０】
図３は、一例示的な実施例に係る他のインターフェース表示方法を示す。図３に示すように、前記ステップ１０４は、代替として、下記のステップ１０４−１、ステップ１０４−２を含んでもよい。
【００４１】
ステップ１０４−１において、制御インターフェース情報の取得請求をプリセットサーバーに送信し、ここで、前記制御インターフェース情報の取得請求には前記複数の標的スマート機器の機器ＩＤが携帯され、前記プリセットサーバーは、前記制御インターフェース情報の取得請求を受信した後、前記機器ＩＤに基づいて前記複数の標的スマート機器の制御インターフェース情報をそれぞれ取得する。
【００４２】
このステップにおいて、前記端末は、前記制御インターフェースの統合命令に携帯された前記複数の標的スマート機器の機器ＩＤを確定した後、制御インターフェース情報の取得請求をプリセットサーバーに送信し、ここで、前記制御インターフェース情報の取得請求には前記機器ＩＤが携帯されている。
【００４３】
前記プリセットサーバーは前記制御インターフェース情報の取得請求を受信した後、前記機器ＩＤに基づいて前記複数の標的スマート機器の各々の制御インターフェース情報をそれぞれ取得する。代替として、前記制御インターフェース情報は、前記複数の標的スマート機器に対応する制御インターフェースにおける全てのボタンコントロール情報及び表示コントロール情報を含む。
【００４４】
ステップ１０４−２において、前記プリセットサーバーから返された前記複数の標的スマート機器の前記制御インターフェース情報を受信する。
【００４５】
このステップにおいて、前記端末は、関連技術により前記プリセットサーバーから送信した前記制御インターフェース情報を受信することができる。
【００４６】
ステップ１０５において、前記複数の標的スマート機器の前記制御インターフェース情報に基づいて、前記複数の標的スマート機器を制御するための統合制御インターフェースを生成する。
【００４７】
図４は、一例示的な実施例に係る他のインターフェース表示方法を示す。図４に示すように、前記ステップ１０５は、代替として、下記のステップ１０５−１〜ステップ１０５−３を含んでもよい。
【００４８】
ステップ１０５−１において、前記複数の標的スマート機器の前記制御インターフェース情報に基づいて、統合制御インターフェースの標的制御インターフェース情報を確定する。
【００４９】
このステップにおいて、前記端末は、取得した前記複数の標的スマート機器の前記制御インターフェース情報に基づいて、最終的に表示しようとする統合制御インターフェースの標的制御インターフェース情報を確定する。
【００５０】
代替として、本発明の実施例において、ユーザが最終的に前記統合制御インターフェースにおける統合制御ボタンを介して前記複数の標的スマート機器を同期的に操作する必要があることを考慮すると、前記標的制御インターフェース情報は、前記複数の標的スマート機器が共有する前記制御インターフェース情報であってもよい。
【００５１】
例えば、前記複数の標的スマート機器が、スマート機器Ａ及びスマート機器Ｂを含み、ここで、前記スマート機器Ａに対応する制御インターフェース情報は、ボタンコントロール情報ａ、ボタンコントロール情報ｂ、表示コントロール情報ｃ及び表示コントロール情報ｄを含み、前記スマート機器Ｂに対応する制御インターフェース情報は、ボタンコントロール情報ａ、ボタンコントロール情報ｂ、ボタンコントロール情報ｅ、及び表示コントロール情報ｄを含む。この場合、最終的に確定された標的制御インターフェース情報は、ボタンコントロール情報ａ、ボタンコントロール情報ｂ、及び表示コントロール情報ｄを含む。
【００５２】
代替として、本発明の実施例において、前記複数の標的スマート機器は同様なスマート機器であり、例えば、何れもスマートカーテン制御器であり、又は何れもスマートエアコン等である。これに対応して、前記標的制御インターフェース情報は、その中の１つの標的スマート機器の前記制御インターフェース情報である。
【００５３】
ステップ１０５−２において、前記標的制御インターフェース情報における標的ボタンコントロール情報に基づいて、前記統合制御インターフェースにおける統合制御ボタンを生成する。
【００５４】
ステップ１０５−３において、前記標的制御インターフェース情報における標的表示コントロール情報に基づいて、前記統合制御インターフェースにおける統合表示コントロールを生成する。
【００５５】
本発明の実施例において、前記端末は、関連技術により、前記標的制御インターフェース情報における標的ボタンコントロール情報及び標的表示コントロール情報に基づいて、前記統合制御インターフェースにおける統合制御ボタン及び統合表示コントロールを、それぞれ生成することができる。
【００５６】
ステップ１０６において、前記統合制御インターフェースを表示する。
【００５７】
このステップにおいて、前記端末は、関連技術により、上記ステップ１０５で生成された前記統合制御インターフェースを表示する。
【００５８】
代替として、ユーザが、現在の前記統合制御インターフェースによりどの標的スマート機器への同期制御が可能であるかをわかるように、前記統合制御インターフェースに、前記複数の標的スマート機器の名称をさらに含むことができる。
【００５９】
図５は、一例示的な実施例に係る他のインターフェース表示方法を示す。図５に示すように、前記方法は、上記ステップ１０６を完成した後、下記のステップ１０７、ステップ１０８をさらに含んでもよい。
【００６０】
ステップ１０７において、前記統合制御ボタンが選定されたことを検出した場合、前記統合制御ボタンに対応する操作命令を生成する。
【００６１】
このステップにおいて、前記端末は、ユーザが前記統合制御インターフェースにおける前記統合制御ボタンを選定したか否かを検出する。ユーザが前記統合制御ボタンを選定した場合、関連技術により、相応する操作命令を生成する。
【００６２】
ステップ１０８において、前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するようになる。
【００６３】
このステップにおいて、前記端末は前記操作命令を生成した後、プリセットサーバーに送信し、前記プリセットサーバーにより、それぞれ前記複数の標的スマート機器に転送する。複数の標的スマート機器は前記操作命令をそれぞれ受信した後、対応する操作を実行する。
【００６４】
例えば、複数の標的スマート機器がスマートエアコン及びスマート空気清浄機を含む場合、ユーザがオープン・ボタンを選定したら、前記端末はオープン操作命令を生成してプリセットサーバーに送信し、前記プリセットサーバーにより前記スマートエアコン及び前記スマート空気清浄機に転送し、前記スマートエアコン及び前記スマート空気清浄機は前記オープン操作命令を受信した後、いずれもオープン操作を実行する。
【００６５】
図６は、一例示的な実施例に係る他のインターフェース表示方法を示す。図６に示すように、インターフェース表示の柔軟性をさらに向上させるために、前記方法は、代替として、上記ステップ１０６を完成した後、下記のステップ１０９をさらに含んでもよい。
【００６６】
ステップ１０９において、入力操作が検出された場合、前記入力操作の内容に基づいて前記統合制御インターフェースのインターフェース名称を修正する。
【００６７】
このステップにおいて、前記端末は、関連技術により、入力操作の有無を検出することができ、入力操作が検出された場合、関連技術により、前記入力操作の内容に基づいて前記表示インターフェースのインターフェース名称を修正することができる。
【００６８】
例えば、前記インターフェース名称がそもそも「２イン１インターフェース（Ｔｗｏ−ｉｎ−ｏｎｅ  ｉｎｔｅｒｆａｃｅ）」であるが、ユーザは入力操作により前記インターフェース名称を「室温制御調節インターフェース」に修正することができる。
【００６９】
また、上記過程は、いずれも前記端末に予めインストールされたスマートハウスＡＰＰにより達成することができる。ユーザが前記端末の端末識別情報を利用して前記スマートハウスＡＰＰにログインした後、前記スマートハウスＡＰＰは、予め前記スマートハウスＡＰＰのアカウントにバインディングされた候補スマート機器の機器リストを出力し、同時にプリセットボタンを出力する。ユーザが、前記機器リストから複数の標的スマート機器を選定した後、前記プリセットボタンを選定したら、前記スマートハウスＡＰＰは、前記複数の標的スマート機器の制御インターフェース情報を自動的に取得し、さらに、標的制御インターフェース情報を確定する。前記スマートハウスＡＰＰは、前記標的制御インターフェース情報に基づいて統合制御インターフェースを生成して表示する。さらに、ユーザは、前記統合制御インターフェースにおける統合制御ボタンを選定することができ、これにより前記複数の標的スマート機器を制御して相応の操作を実行させる。
【００７０】
上記の実施例において、前記端末に前記複数の標的スマート機器を制御するための統合制御インターフェースを表示することができ、ユーザは、前記統合制御インターフェースに表示された統合制御ボタンを選定し、さらに、複数の標的スマート機器を同期的に制御して前記統合制御ボタンに対応する操作を実行させることができるため、インターフェース表示の柔軟性を高め、ユーザエクスペリエンスを向上した。また、上記方法は、スマートハウスＡＰＰに適用することができ、実用性が高い。
【００７１】
図７に示す一例示的な実施例に係る他のインターフェース表示方法は、下記のステップ２０１〜ステップ２１２を含む。
【００７２】
ステップ２０１において、予め前記端末にバインディングされた候補スマート機器の機器リストを出力する。
【００７３】
当該ステップにおいて、図８Ａに示すように、前記端末は関連技術に基づいて予め前記端末にバインディングされた候補スマート機器のすべてを含む機器リストを出力することができる。
【００７４】
ステップ２０２において、プリセットボタンに対する選定操作が検出された場合、前記プリセットボタンに対する選定操作を前記制御インターフェースの統合命令とし、ここで、前記プリセットボタンは、ユーザが前記機器リストに対して選択した複数の標的スマート機器のボタンであり、前記制御インターフェースの統合命令は、前記複数の標的スマート機器の機器ＩＤを携帯する。
【００７５】
このステップにおいて、ユーザは、図８Ｂに示すように、前記機器リストから複数の標的スマート機器を選定し、さらに仮想のプリセットボタンを選定することができる。前記端末は、ユーザが前記プリセットボタンを選定した選定操作が制御インターフェースの統合命令であり、且つ、前記制御インターフェースの統合命令において前記複数の標的スマート機器の機器ＩＤが携帯されたことを確定する。
【００７６】
ステップ２０３において、前記制御インターフェースの統合命令に携帯された前記複数の標的スマート機器の機器ＩＤを確定する。
【００７７】
ステップ２０４において、前記複数の標的スマート機器の前記機器ＩＤを携帯する制御インターフェース情報の取得請求をプリセットサーバーに送信し、前記プリセットサーバーは前記制御インターフェース情報の取得請求を受信した後、前記機器ＩＤに基づいて前記複数の標的スマート機器の制御インターフェース情報をそれぞれ取得する。
【００７８】
このステップにおいて、前記端末は、プリセットサーバーに、前記機器ＩＤ付き制御インターフェース情報の取得請求を送信する。前記プリセットサーバーは、前記機器ＩＤに基づいて、前記複数の標的スマート機器の各々の制御インターフェース情報を取得する。代替として、前記制御インターフェース情報は、前記複数の標的スマート機器に対応する制御インターフェースにおける全てのボタンコントロール情報及び表示コントロール情報を含む。
【００７９】
ステップ２０５において、前記プリセットサーバーから返された前記複数の標的スマート機器の前記制御インターフェース情報を受信する。
【００８０】
ステップ２０６において、前記複数の標的スマート機器の前記制御インターフェース情報に基づいて、統合制御インターフェースの標的制御インターフェース情報を確定する。
【００８１】
代替として、前記標的制御インターフェース情報は、前記複数の標的スマート機器が共有する前記制御インターフェース情報であってもよい。
【００８２】
図８Ｂに示すように、ユーザは、それぞれ寝室及び客間のカーテンを制御するための２つの同様のスマート機器であるスマートカーテン制御器を選定した。この場合、前記標的制御インターフェース情報は、その中の１つのスマートカーテン制御器の前記制御インターフェース情報である。
【００８３】
ステップ２０７において、前記標的制御インターフェース情報における標的ボタンコントロール情報に基づいて、前記統合制御インターフェースにおける統合制御ボタンを生成する。
【００８４】
ステップ２０８において、前記標的制御インターフェース情報における標的表示コントロール情報に基づいて、前記統合制御インターフェースにおける統合表示コントロールを生成する。
【００８５】
上記ステップ２０７及びステップ２０８は、同期的に実行することができる。この場合、前記端末は、関連技術により、前記標的制御インターフェース情報における標的ボタンコントロール情報及び標的表示コントロール情報に基づいて、前記統合制御インターフェースにおける統合制御ボタン及び統合表示コントロールを、それぞれ生成することができる。
【００８６】
ステップ２０９において、前記統合制御インターフェースを表示する。
【００８７】
表示された前記統合制御インターフェースは、図８Ｃに示す通りである。
【００８８】
ステップ２１０において、前記統合制御ボタンが選定されたことを検出した場合、前記統合制御ボタンに対応する操作命令を生成する。
【００８９】
このステップにおいて、前記端末は、ユーザが前記統合制御インターフェースにおける前記統合制御ボタンを選定したか否かを検出し、ユーザが前記統合制御ボタンを選定した場合、関連技術により、相応する操作命令を生成する。例えば、ユーザが図８Ｃに示す統合制御インターフェースにおけるオープンボタンを選定した場合、前記端末は、オープン操作命令を生成する。
【００９０】
ステップ２１１において、前記操作命令をプリセットサーバーに送信し、前記プリセットサーバーを介して前記操作命令を前記複数の標的スマート機器に転送して、前記複数の標的スマート機器が前記操作命令に基づいて相応の操作を実行する。
【００９１】
このステップにおいて、前記プリセットサーバーは、前記端末が送信した前記操作命令を前記複数の標的スマート機器に送信し、例えば、前記プリセットサーバーはオープン操作命令を、図８Ｃにおける２つのスマートカーテン制御器に転送する。上記の２つのスマートカーテン制御器は、前記オープン操作命令を受信した後、寝室及び客間のカーテンをオープンする。
【００９２】
ステップ２１２において、入力操作を検出した場合、前記入力操作の内容に基づいて前記統合制御インターフェースのインターフェース名称を修正する。
【００９３】
このステップにおいて、前記端末は、関連技術により、前記入力操作の内容に基づいて前記表示インターフェースのインターフェース名称を修正することができる。
【００９４】
例えば、前記インターフェース名称がそもそも「２イン１インターフェース」であるが、図８Ｄに示すように、ユーザは、入力操作により前記インターフェース名称を「カーテン制御インターフェース」に修正することができる。
【００９５】
上記実施例において、端末は、候補スマート機器の機器リストを出力し、ユーザがプリセットボタンを選定したことが検出された場合、ユーザが入力した制御インターフェースの統合命令を受信したことを確定する。さらに、前記制御インターフェースの統合命令に基づいて、前記複数の標的スマート機器を制御するための統合制御インターフェースを表示することができるため、インターフェース表示の柔軟性を高めた。ユーザは、前記統合制御インターフェースに表示された統合制御ボタンを選定することができ、さらに、複数の標的スマート機器を同期的に制御して前記統合制御ボタンに対応する操作を実行させることができるため、ユーザエクスペリエンスがよい。
【００９６】
前記インターフェース表示方法の実施例に対応して、本発明は、さらにインターフェース表示装置の実施例を提供する。
【００９７】
図９は、本発明の一例示的な実施例に係るインターフェースの表示装置を示すブロック図である。図９に示すように、前記装置は端末に用いられ、
ユーザが入力した制御インターフェースの統合命令が検出された場合、前記制御インターフェースの統合命令に携帯された複数の標的スマート機器を確定するように構成された機器確定モジュール３１０と、
前記機器確定モジュール３１０により確定された前記複数の標的スマート機器の制御インターフェース情報をそれぞれ取得するように構成された取得モジュール３２０と、
前記取得モジュール３２０により取得された前記複数の標的スマート機器の前記制御インターフェース情報に基づいて、前記複数の標的スマート機器を制御するための統合制御インターフェースを生成するように構成されたインターフェース生成モジュール３３０と、
前記インターフェース生成モジュール３３０により生成された前記統合制御インターフェースを表示するように構成された表示モジュール３４０と、を含む。
【００９８】
図１０は、本発明の一例示的な実施例に係る他のインターフェースの表示装置を示すブロック図である。図１０に示すように、当該実施例における前記装置は、図９に示す実施例に基づき、さらに
予め前記端末にバインディングされた候補スマート機器の機器リストを出力するように構成された出力モジュール３５０と、
プリセットボタンに対する選定操作が検出された場合、前記プリセットボタンに対する選定操作を前記制御インターフェースの統合命令とするように構成され、前記プリセットボタンは、ユーザが前記出力モジュール３５０により出力された前記機器リストに対して選択した複数の標的スマート機器のボタンであり、前記制御インターフェースの統合命令は、前記複数の標的スマート機器の機器ＩＤを携帯する、命令確定モジュール３６０と、を含む。
【００９９】
図１１は、本発明の一例示的な実施例に係る他のインターフェースの表示装置を示すブロック図である。図１１に示すように、当該実施例において、図９に示す実施例に基づき、前記取得モジュール３２０は、
前記機器確定モジュール３１０により確定された前記複数の標的スマート機器の機器ＩＤを携帯する制御インターフェース情報の取得請求をプリセットサーバーに送信して、前記プリセットサーバーが前記制御インターフェース情報の取得請求を受信した後、前記機器ＩＤに基づいて前記複数の標的スマート機器の制御インターフェース情報をそれぞれ取得するように構成された送信サブモジュール３２１と、
前記プリセットサーバーから返された前記複数の標的スマート機器の前記制御インターフェース情報を受信するように構成された受信サブモジュール３２２と、を含む。
【０１００】
代替として、前記取得モジュール３２０により取得された前記制御インターフェース情報は、前記複数の標的スマート機器に対応する制御インターフェースにおける全てのボタンコントロール情報及び表示コントロール情報を含む。
【０１０１】
図１２は、本発明の一例示的な実施例に係る他のインターフェースの表示装置を示すブロック図である。図１２に示すように、当該実施例において、図９〜図１１のいずれか1つに示す実施例に基づき、前記インターフェース生成モジュール３３０は、
前記取得モジュール３２０により取得した前記複数の標的スマート機器の前記制御インターフェース情報に基づいて、統合制御インターフェースの標的制御インターフェース情報を確定するように構成された確定サブモジュール３３１と、
前記確定サブモジュール３３１により確定された前記標的制御インターフェース情報における標的ボタンコントロール情報に基づいて、前記統合制御インターフェースにおける統合制御ボタンを生成するように構成された第１の生成サブモジュール３３２と、
前記確定サブモジュール３３１により確定された前記標的制御インターフェース情報における標的表示コントロール情報に基づいて、前記統合制御インターフェースにおける統合表示コントロールを生成するように構成された第２の生成サブモジュール３３３と、を含む。
【０１０２】
図１３は、本発明の一例示的な実施例に係る他のインターフェースの表示装置を示すブロック図である。図１３に示すように、当該実施例における前記装置は、図１２に示す実施例に基づき、さらに、
前記第１の生成サブモジュール３３２により生成された前記統合制御ボタンが選定されたことを検出した場合、前記統合制御ボタンに対応する操作命令を生成するように構成された命令生成モジュール３７０と、
前記命令生成モジュール３７０により生成された前記操作命令をプリセットサーバーに送信し、前記プリセットサーバーを介して前記操作命令を前記複数の標的スマート機器に転送して、前記複数の標的スマート機器が前記操作命令に基づいて相応の操作を実行するように構成された送信モジュール３８０と、を含む。
【０１０３】
図１４は、本発明の一例示的な実施例に係る他のインターフェースの表示装置を示すブロック図である。図１４に示すように、当該実施例における前記装置は、図９に示す実施例に基づき、さらに
入力操作が検出された場合、前記入力操作の内容に基づいて前記表示モジュール３４０により表示された前記統合制御インターフェースのインターフェース名称を修正するように構成された修正モジュール３９０を含む。
【０１０４】
上記装置における各ユニットの機能及び作用の実現過程は、上記方法での対応するステップの実現過程を詳しく参照することができ、ここで重複の説明を省略する。
【０１０５】
インターフェース表示装置に係る実施例は、基本的にインターフェース表示方法の実施例に対応し、関連部分は方法の実施例部分の記載を参照することができる。以上に説明した装置の実施例は、例示的なものに過ぎず、その中で、分離部品として説明した前記ユニットは、物理的に分離したものであってもよく、物理的に分離しないものであってもよい。ユニットとして示された部品は、物理的なユニットであってもよく、物理的なユニットでなくてもよい。すなわち、１つの箇所に置かれてもよく、複数のネットワークユニットに分配されてもよい。本発明に係る技術的目的は、実際の必要に応じてその中から一部又は全部のモジュールを選択して達成することができることを、当業者は理解し且つ実施することができる。
【０１０６】
さらに、本発明によれば、端末に用いられるインターフェース表示装置であって、
プロセッサーと、
プロセッサーで実行可能な命令を格納するためのメモリと、を含み、
ここで、前記プロセッサーは、
ユーザが入力した制御インターフェースの統合命令が検出された場合、前記制御インターフェースの統合命令に携帯された複数の標的スマート機器を確定し、
前記複数の標的スマート機器の制御インターフェース情報をそれぞれ取得し、
前記複数の標的スマート機器の前記制御インターフェース情報に基づいて、前記複数の標的スマート機器を制御するための統合制御インターフェースを生成し、
前記統合制御インターフェースを表示するように構成された、インターフェース表示装置を提供する。
【０１０７】
図１５は、本発明の一例示的な実施例に係るインターフェース表示装置１５００の構成を示す模式図である。図１５に示すように、前記装置１５００は、例えば携帯電話、コンピュータ、デジタルブロードキャスト端末、メッセージ送受信端末、スマートコンセント、スマート血圧計、ゲームコンソール、タブレット端末、医療機器、フィットネス端末、パーソナルデジタルアシスタント、スマート腕輪、スマート腕時計等の端末を有してもよい。
【０１０８】
図１５に示すように、装置１５００は、処理ユニット１５０２、メモリ１５０４、電源ユニット１５０６、マルチメディアユニット１５０８、オーディオユニット１５１０、入出力（Ｉ／Ｏ）インターフェース１５１２、センサユニット１５１４、及び通信ユニット１５１６からなる群から選ばれる少なくとも１つを備えてもよい。
【０１０９】
処理ユニット１５０２は、一般的には、装置１５００の全体の操作、例えば、表示、電話呼び出し、データ通信、カメラ操作及び記録操作に関連する操作を制御する。処理ユニット１５０２は、上述した方法におけるステップの一部又は全部を実現できるように、命令を実行する少なくとも１つのプロセッサー１５２０を備えてもよい。また、処理ユニット１５０２は、他のユニットとのインタラクションを便利にさせるように、少なくとも１つのモジュールを備えてもよい。例えば、処理ユニット１５０２は、マルチメディアユニット１５０８とのインタラクションを便利にさせるように、マルチメディアモジュールを備えてもよい。
【０１１０】
メモリ１５０４は、装置１５００での操作をサポートするように、各種のデータを記憶するように配置される。これらのデータは、例えば、装置１５００で何れのアプリケーション又は方法を操作するための命令、連絡先データ、電話帳データ、メッセージ、画像、ビデオ等を含む。メモリ１５０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１１１】
電源ユニット１５０６は、装置１５００の各種ユニットに電力を供給するためのものであり、電源管理システム、１つ又は複数の電源、及び装置１５００のために電力を生成、管理及び分配することに関連する他のユニットを備えてもよい。
【０１１２】
マルチメディアユニット１５０８は、装置１５００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１５０８は、フロントカメラ及び／又はバックカメラを有してもよい。装置１５００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１１３】
オーディオユニット１５１０は、オーディオ信号を出力及び／又は入力するように配置される。例えば、オーディオユニット１５１０は、マイクロフォン（ＭｉＣ）を有してもよい。装置１５００が、例えば、呼び出しモード、記録モード、又は音声認識モードのような操作モードにあるとき、マイクロフォンは、外部のオーディオ信号を受信するように配置される。受信したオーディオ信号は、メモリ１５０４にさらに記憶されてもよいし、通信ユニット１５１６を介して送信されてもよい。一実施例では、オーディオユニット１５１０は、オーディオ信号を出力するためのスピーカをさらに備えてもよい。
【０１１４】
Ｉ/Ｏインターフェース１５１２は、処理ユニット１５０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１５】
センサユニット１５１４は、装置１５００のために各方面の状態を評価する少なくとも１つのセンサーを備えてもよい。例えば、センサユニット１５１４は、装置１５００のオン／オフ状態や、ユニットの相対的な位置を検出することができる。例えば、前記ユニットは、装置１５００のディスプレイ及びキーパッドである。センサユニット１５１４は、装置１５００又は装置１５００の１つのユニットの位置の変化、ユーザによる装置１５００への接触の有無、装置１５００の方向又は加速／減速、装置１５００の温度変化などを検出することができる。センサユニット１５１４は、何れの物理的な接触もない場合に付近の物体を検出するように配置される近接センサーを有してもよい。センサユニット１５１４は、イメージングアプリケーションに用いるための光センサー、例えば、ＣＭＯＳ又はＣＣＤ画像センサーを有してもよい。一実施例では、当該センサユニット１５１４は、加速度センサー、ジャイロスコープセンサー、磁気センサー、圧力センサー又は温度センサーをさらに備えてもよい。
【０１１６】
通信ユニット１５１６は、装置１５００と他の設備の間との無線又は有線通信を便利にさせるように配置される。装置１５００は、通信標準に基づく無線ネットワーク、例えば、ＷｉＦｉ、２Ｇ又は３Ｇ、又はそれらの組み合わせにアクセスできる。１つの例示的な実施例では、通信ユニット１５１６は、ブロードキャストチャンネルを介して外部のブロードキャスト管理システムからのブロードキャスト信号又はブロードキャストに関する情報を受信する。１つの例示的な実施例では、前記通信ユニット１５１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１１７】
例示的な実施例において、装置１５００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１１８】
例示的な実施例では、命令を有する非一時的コンピュータ読み取り可能な記録媒体、例えば、命令を有するメモリ１５０４をさらに提供する。前記命令は、装置１５００のプロセッサー１５２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１１９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１２０】
以上は、本発明の実施例に過ぎず、本発明はこれらに限定されるものではない。
【０１２１】
本発明の要旨を逸脱しない範囲内で行なった任意の変更・同等の入替・改良などは、いずれも本発明の保護範囲に含まれるべきである。
【０１２２】
本願は、出願番号が２０１５１０７２９１０９.３であって、出願日が２０１５年１０月３０日である中国特許出願に基づき優先権を主張し、当該中国特許出願の内容の全てを本願に援用する。
【図１】
0006317047.tif 000002
【図２】
0006317047.tif 000003
【図３】
0006317047.tif 000004
【図４】
0006317047.tif 000005
【図５】
0006317047.tif 000006
【図６】
0006317047.tif 000007
【図７】
0006317047.tif 000008
【図８Ａ】
0006317047.tif 000009
【図８Ｂ】
0006317047.tif 000010
【図８Ｃ】
0006317047.tif 000011
【図８Ｄ】
0006317047.tif 000012
【図９】
0006317047.tif 000013
【図１０】
0006317047.tif 000014
【図１１】
0006317047.tif 000015
【図１２】
0006317047.tif 000016
【図１３】
0006317047.tif 000017
【図１４】
0006317047.tif 000018
【図１５】
0006317047.tif 000019